(57)【特許請求の範囲】
【請求項１】
移動局装置からサウンディング参照信号を受信する基地局装置であって、
前記サウンディング参照信号の送信のための周波数帯域を、前記移動局装置に対して２つ設定し、
前記２つの周波数帯域における２つの前記サウンディング参照信号の送信が同じサブフレームで発生する場合、前記移動局装置が前記サウンディング参照信号の優先度に基づいて送信した前記サウンディング参照信号を受信することを特徴とする基地局装置。
【請求項２】
移動局装置からサウンディング参照信号を受信する基地局装置であって、
前記サウンディング参照信号の送信のための周波数帯域を、前記移動局装置に対して２つ設定し、
前記２つの周波数帯域における２つの前記サウンディング参照信号の送信が同時に発生する場合、前記移動局装置が前記サウンディング参照信号の優先度に基づいて送信した前記サウンディング参照信号を受信することを特徴とする基地局装置。
【請求項３】
基地局装置に対してサウンディング参照信号を送信する移動局装置であって、
前記基地局装置によって、前記サウンディング参照信号の送信のための周波数帯域が２つ設定され、
前記２つの周波数帯域における２つの前記サウンディング参照信号の送信が同じサブフレームで発生した場合、前記サウンディング参照信号の優先度の高い前記サウンディング参照信号のみを送信することを特徴とする移動局装置。
【請求項４】
前記２つの周波数帯域における前記２つのサウンディング参照信号の送信周期のそれぞれは個別に設定されることを特徴とする請求項３に記載の移動局装置。
【請求項５】
基地局装置に対してサウンディング参照信号を送信する移動局装置であって、
前記基地局装置によって、前記サウンディング参照信号の送信のための周波数帯域が２つ設定され、
前記２つの周波数帯域における２つの前記サウンディング参照信号の送信が同時に発生した場合、前記サウンディング参照信号の優先度の高い前記サウンディング参照信号のみを送信することを特徴とする移動局装置。
【発明の詳細な説明】
【技術分野】
【０００１】
本発明は、通信技術に関し、より詳細には、送信および受信する基地局装置、移動局装置を有する移動通信システムにおいて、ＭＩＭＯに対応したサウンディング参照信号を効率よく送信する技術および、その受信技術に関する。
【背景技術】
【０００２】
現在、３ＧＰＰ（3rd Generation Partnership Project）では、第３世代無線アクセス技術の進化（Long Term Evolution：以下、「LTE」と呼ぶ）や、さらなる通信速度の高速化へ向けたＬＴＥ  Ａｄｖａｎｃｅｄ（以下、「LTE-A」と呼ぶ）についても検討が行なわれている。ＬＴＥにおいて、ＵＬ−ＳＣＨ（Uplink Shared Channel）に適用する符号化率、変調方式は、移動局装置から基地局装置に送信されるサウンディング参照信号（Sounding Reference Signal）を元に算出される。
【０００３】
ＬＴＥ−ＡではＭＩＭＯ（Multiple Input Multiple Output）やクラスタードＳＣ−ＦＤＭＡ（Single Carrier Frequency Division Multiple Access）といった送信方式に対応するためのＳＲＳの拡張が必要となる。例えば、ＬＴＥでは基地局装置１が知るべきであった送信アンテナに対応するチャネル情報は２であったが、ＬＴＥ−Ａでは最大４本の送信アンテナによる空間多重がサポートされる。ＬＴＥのＳＲＳの仕組みはシングルアンテナ送信に対応することをターゲットにしており、ＬＴＥ−Ａに対して必ずしも最適ではない。
【０００４】
例えば、ＭＩＭＯへの適用を考えると、シングルアンテナ送信では１度に一つの送信アンテナのチャネルを知ることができれば十分であったが、ＭＩＭＯでは利用する送信アンテナすべてのチャネルが必要となる。さらにＭＩＭＯではＭＣＳだけでなくプレコーダの算出も必要であるため、シングルアンテナ送信の場合より精度の高いＳＲＳが必要となる。これらの結果として、ＭＩＭＯの場合ではより高い頻度でのＳＲＳ送信が必要となる、もしくはサポートされるＳＲＳの帯域幅を狭くすることによって、送信電力を特定の帯域に集中させることによりＳＲＳの精度を向上させるといった対策が必要となる。つまり、ＭＩＭＯを適用する場合には、ＳＮＲ（Signal to Noise Ratio）の向上のためにＳＲＳでサポートされる帯域幅を狭くしなければならないといった状況も発生してしまう。
【０００５】
さらに、クラスタードＳＣ−ＦＤＭＡへの適用を考えると、シングルアンテナ送信では割り当てられる周波数リソースの帯域は連続するためサポートされるＳＲＳの周波数帯域も連続であることが望ましかったが、クラスタードＳＣ−ＦＤＭＡではその限定は適用されず、むしろ周波数ダイバーシチを獲得するために離れた周波数領域の割り当てを行った方が良い。
【０００６】
一方、ＬＴＥ上りリンクのＭＩＭＯ適用に伴う、柔軟なＳＲＳの対応のために、非特許文献１のような方法が提案されている。非特許文献１では、ＳＲＳが不足している場合に、下りリンク制御チャネルで各移動局装置３に送信される上りリンクリソース割り当て情報の中に、一度きりのＳＲＳ送信を指令する情報を含めることを提案している。ここで、１回の設定で２回（２サブフレーム）以上の周期的なＳＲＳ送信をピリオディックＳＲＳと呼称し、１回の設定で１度（１サブフレーム）だけのＳＲＳ送信をアピリオディックＳＲＳと呼称する。非特許文献１で提案するアピリオディックＳＲＳの方法により、基地局装置１がＭＩＭＯ通信を行ないたいタイミングをトリガにして、指定した帯域のＳＲＳを送信することが可能であり、必要以上に周期的ＳＲＳリソースを移動局装置３に割り当てることにより、オーバーヘッドを削減するとともに、それぞれの通信方式に合ったチャネル取得のための柔軟なＳＲＳ送信をサポートすることができる。
【先行技術文献】
【非特許文献】
【０００７】
【非特許文献１】R1-091879,“SRS Transmission Issues in LTE-A“, 3GPP TSG RAN WG1 Meeting #57, San Francisco, USA, 4-8 May, 2009
【発明の概要】
【発明が解決しようとする課題】
【０００８】
しかしながら、非特許文献１の方法は、実際にＳＲＳの送信を行なってチャネル情報を取得するまで、その周波数帯域を移動局装置３に割り当てることが有効であるかわからない。具体的に、上りリンクのトラフィックが少なく、大きくリソースが空いている状態において、特定の移動局装置３に広い周波数帯域を割り当てるような状況では、ＭＣＳやプレコーダを決定する意味で非特許文献１の方法は有効である。しかし、空いた周波数領域をチャネルの状況に応じてどの移動局装置３に割り当てるかを決定したい場合においては、対象となる複数の移動局装置３すべてにＳＲＳを送信させるべきである。このとき、アピリオディックＳＲＳを指示するために複数の移動局装置３に送信する制御情報のオーバーヘッドが大きくなってしまうため、非特許文献１の方法は適切でない。
【０００９】
本発明は、このような事情に鑑みてなされたものであり、ＭＩＭＯとクラスタードＳＣ−ＦＤＭＡ方式を同時かつ効率的にサポートし、かつ、周波数スケジューリングを柔軟に行なうことを可能とする、ＳＲＳ送信を行なう無線通信システム、基地局装置および移動局装置を提供することを目的とする。
【課題を解決するための手段】
【００１０】
（１）上記の目的を達成するために、本発明は、以下のような手段を講じた。すなわち、本発明の無線通信システムは、基地局装置と移動局装置とから構成され、前記移動局装置が前記基地局装置に対してチャネル測定用の参照信号を送信する無線通信システムであって、前記基地局装置は、前記移動局装置に対して、前記参照信号を送信するために、パラメータが異なる複数の送信リソースを割り当てる一方、前記移動局装置は、前記割り当てられた送信リソースで前記参照信号を前記基地局装置に対して送信することを特徴とする。
【００１１】
このように、基地局装置は、移動局装置に対して、参照信号を送信するために、パラメータが異なる複数の送信リソースを割り当てるので、ＭＩＭＯとクラスタードＳＣ−ＦＤＭＡ方式を同時かつ効率的にサポートするＳＲＳを送信することができる。具体的に、本手段で送信されるＳＲＳを用いることで、これらの送信方式において周波数スケジューリングを柔軟に行なうことができる。
【００１２】
（２）また、本発明の無線通信システムにおいて、前記パラメータは、少なくとも、時間間隔、時間オフセット、周波数帯域幅および周波数であることを特徴とする。
【００１３】
このように、パラメータは、少なくとも、時間間隔、時間オフセット、周波数帯域幅および周波数であるので、周波数スケジューリングを柔軟に行なうことができる。
【００１４】
（３）また、本発明の無線通信システムにおいて、前記基地局装置は、前記移動局装置に対して、前記参照信号を送信するために、周波数帯域が異なる複数の送信リソースを割り当てることを特徴とする。
【００１５】
このように、基地局装置は、移動局装置に対して、参照信号を送信するために、周波数帯域が異なる複数の送信リソースを割り当てるので、クラスタードＳＣ−ＦＤＭＡ方式を同時かつ効率的にサポートするＳＲＳを送信することができる。
【００１６】
（４）また、本発明の無線通信システムにおいて、前記基地局装置は、前記移動局装置に対して、前記参照信号を送信するために、不連続の複数の周波数帯域の送信リソースを割り当てると共に、前記周波数帯域の全部または一部の不連続の帯域を用いて上りリンクデータを送信することを指示する上りリンク許可信号を送信する一方、前記移動局装置は、前記基地局装置に対して、受信した前記上りリンク許可信号に基づいて、クラスタードＳＣ−ＦＤＭＡ（Single Carrier Frequency Division Multiple Access）方式で上りリンクデータを送信することを特徴とする。
【００１７】
このように、基地局装置が、周波数帯域の全部または一部の不連続の帯域を用いて上りリンクデータを送信することを指示する上りリンク許可信号を送信するので、移動局装置は、非連続の周波数帯域を用いて送信が可能となり、クラスタードＳＣ−ＦＤＭＡによって期待される周波数ダイバーシチの効果を得ることができる。
【００１８】
（５）また、本発明の無線通信システムにおいて、前記基地局装置は、前記移動局装置に対して割り当てたいずれかの送信リソースの周波数帯域幅を、システム帯域幅と一致させることを特徴とする。
【００１９】
このように、基地局装置は、移動局装置に対して割り当てたいずれかの送信リソースの周波数帯域幅を、システム帯域幅と一致させるので、システム帯域全体での上りリンク割り当てが可能となり、スループットを向上させることができる。
【００２０】
（６）また、本発明の無線通信システムにおいて、前記基地局装置は、前記システム帯域幅と一致する周波数帯域幅の送信リソースで前記参照信号を送信する周期を、前記システム帯域幅と一致する周波数帯域幅の送信リソース以外の送信リソースで前記参照信号を送信する周期よりも長くすることを特徴とする。
【００２１】
このように、システム帯域幅と一致する周波数帯域幅の送信リソースで参照信号を送信する周期を、システム帯域幅と一致する周波数帯域幅の送信リソース以外の送信リソースで参照信号を送信する周期よりも長くするので、オーバーヘッドの増加を避けることができ、より効果的にスケジューリングゲインを獲得することができる。
【００２２】
（７）また、本発明の基地局装置は、基地局装置と移動局装置とから構成され、前記移動局装置が前記基地局装置に対してチャネル測定用の参照信号を送信する無線通信システムに適用される基地局装置であって、前記移動局装置に対して、前記参照信号を送信するために、周波数帯域が異なる複数の送信リソースを割り当てることを特徴とする。
【００２３】
このように、基地局装置は、移動局装置に対して、参照信号を送信するために、周波数帯域が異なる複数の送信リソースを割り当てるので、ＭＩＭＯとクラスタードＳＣ−ＦＤＭＡ方式を同時かつ効率的にサポートするＳＲＳを送信することができる。具体的に、本手段で送信されるＳＲＳを用いることで、これらの送信方式において周波数スケジューリングを柔軟に行なうことができる。
【００２４】
（８）また、本発明の基地局装置において、前記移動局装置に対して、前記参照信号を送信するために、不連続の複数の周波数帯域の送信リソースを割り当てると共に、前記周波数帯域の全部または一部の不連続の帯域を用いて上りリンクデータを送信することを指示する上りリンク許可信号を送信することを特徴とする。
【００２５】
このように、基地局装置が、周波数帯域の全部または一部の不連続の帯域を用いて上りリンクデータを送信することを指示する上りリンク許可信号を送信するので、移動局装置は、非連続の周波数帯域を用いて送信が可能となり、クラスタードＳＣ−ＦＤＭＡによって期待される周波数ダイバーシチの効果を得ることができる。
【００２６】
（９）また、本発明の移動局装置は、（８）記載の基地局装置から、前記上りリンク許可信号を受信する移動局装置であって、前記基地局装置に対して、前記上りリンク許可信号に基づいて、クラスタードＳＣ−ＦＤＭＡ（Single Carrier Frequency Division Multiple Access）方式で上りリンクデータを送信することを特徴とする。
【００２７】
このように、（８）記載の基地局装置に対して、上りリンク許可信号に基づいて、クラスタードＳＣ−ＦＤＭＡ（Single Carrier Frequency Division Multiple Access）方式で上りリンクデータを送信するので、移動局装置は、非連続の周波数帯域を用いて送信が可能となり、クラスタードＳＣ−ＦＤＭＡによって期待される周波数ダイバーシチの効果を得ることができる。
【発明の効果】
【００２８】
上記の手段により、ＭＩＭＯとクラスタードＳＣ−ＦＤＭＡ方式を同時かつ効率的にサポートするＳＲＳを送信することができる。具体的に、本手段で送信されるＳＲＳを用いることで、これらの送信方式において周波数スケジューリングを柔軟に行なうことができる。
【図面の簡単な説明】
【００２９】
【図１】本発明の実施形態に係る基地局装置１の一構成例を示す機能ブロック図である。
【図２】本発明の実施形態に係る移動局装置３の一構成例を示す機能ブロック図である。
【図３】本発明の第１の実施形態に係る基地局装置１から移動局装置３へ２種類のＳＲＳの設定が行なわれることを想定したシーケンスチャートである。
【図４Ａ】ＴＤＭにより４送信アンテナ分のＳＲＳを送信する例である。
【図４Ｂ】ＣＤＭにより４送信アンテナ分のＳＲＳを送信する例である。
【図４Ｃ】ＩＦＤＭ（Interleaved Frequency Division Multiplexing）とＴＤＭにより４送信アンテナ分のＳＲＳを送信する例である。
【図４Ｄ】ＩＦＤＭとＣＤＭにより４送信アンテナ分のＳＲＳを送信する例である。
【図５】本発明の第２の実施形態に係る基地局装置１から移動局装置３へ２種類のＳＲＳの設定が行なわれることを想定したシーケンスチャートである。
【図６】本発明の第３の実施形態に係る基地局装置１から移動局装置３へ２種類のＳＲＳの設定が行なわれることを想定したシーケンスチャートである。
【図７】ＬＴＥにおけるＳＲＳの送信の方法について具体的に示す図である。
【図８】サウンディングサブフレームにおける詳細な構成を示す図である。
【図９】ＬＴＥのＳＲＳの送信の仕組みを示すシーケンスチャートである。
【発明を実施するための形態】
【００３０】
次世代セルラー移動通信の一方式として、国際的な標準化プロジェクトである３ＧＰＰにおいて、Ｗ−ＣＤＭＡ（Wideband-Code Division Multiple Access）とＧＳＭ（Global System for Mobile Communications）を発展させたネットワークの仕様に関して検討が行なわれている。
【００３１】
３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（High-Speed Downlink Packet Access）も標準化され、サービスが運用されている。現在、３ＧＰＰでは、第３世代無線アクセス技術の進化（LTE）や、さらなる通信速度の高速化へ向けたＬＴＥ−Ａについても検討が行なわれている。
【００３２】
ＬＴＥにおける上りリンクデータの送信では、基地局装置１から割り当てられたリソースに基づくＳＣ−ＦＤＭＡをベースにした通信方式が採用されている。具体的には変調された送信信号はＤＦＴ（Discrete Fourier Transformation）により周波数領域の信号へと変換され、基地局装置１により割り当てられた周波数リソースにマッピングされた後、ＩＤＦＴ（Inverse DFT）により時間領域の信号へと変換され基地局装置１へと送信される。これに加えＬＴＥ−Ａでは、より柔軟な周波数スケジューリングに対応することを目的として、ＳＣ−ＦＤＭＡ信号を周波数領域で分割し、それぞれを周波数領域で非連続に割り当てるクラスタードＳＣ−ＦＤＭＡという方式も検討されている。
【００３３】
ここでは、上りリンクデータとは上位レイヤから渡され、物理層では各ビットの意味を解釈しないデータに対応し、トランスポートチャネルで定義されたＵＬ−ＳＣＨと呼称することとする。実際に送信されるデータはＵＬ−ＳＣＨに対して符号化などの処理が施されたものであり、基地局装置１によって割り当てられたＰＵＳＣＨ（Physical Uplink Shared Channel）と呼ばれるデータ信号送信チャネルでこれが送信される。基地局装置１が算出する。ＬＴＥの上りリンクでは２本の送信アンテナから適応的に１本の送信アンテナを選択するアンテナスイッチングをサポートするだけであったが、ＬＴＥ−Ａでは、上りリンク方式の拡張として、ＭＩＭＯによる空間多重の適用が検討されており、ＵＬ−ＳＣＨのデータは空間多重されて複数の系列が送信される。
【００３４】
ここで、ＵＬ−ＳＣＨに適用する符号化率、変調方式は、移動局装置３から基地局装置１に送信されるサウンディング参照信号（SRS）を元に算出される。ＳＲＳはこの用途のほかに、周波数スケジューリングの用途にも利用され、ＭＩＭＯの場合では、送信ダイバーシチゲインを獲得するために送信信号に行なう前処理（以下、これをプレコーディングと呼ぶ）の系列（以下、これをプレコーダと呼ぶ）の算出にも利用される。
【００３５】
図７は、ＬＴＥにおけるＳＲＳの送信の方法について具体的に示す図である。基地局装置１は、それと通信をする移動局装置３全体との間にサウンディングサブフレームを設定し、具体的にはサウンディングサブフレームは基準サブフレームからのオフセットと周期が与えられる。サウンディングサブフレームは全移動局装置３に対して共通であり、このサブフレームにおいてＳＲＳが送信されることを意味する。
【００３６】
図８は、サウンディングサブフレームにおける詳細な構成を示す図である。ただし、図８にはＰＵＳＣＨの割り当てに利用できる帯域のみ記載しており、制御情報を送信するチャネルについては省略している。図８における縦軸は周波数軸であり、一つのブロックはサブキャリアを表す。ＬＴＥでは連続する１２サブキャリアをまとめてリソース割り当て単位としており、これをリソースブロック（RB：Resource Block）と呼称している。一方横軸は時間軸であり、周波数領域を時間領域に変換し、サイクリックプレフィックスを付与する単位によって時間を分割している。これを１ＳＣ−ＦＤＭＡシンボルと呼称する。ＬＴＥでは連続する７ＳＣ−ＦＤＭＡシンボルにより１スロットを構成し、２スロットをまとめて１サブフレームを構成する。
【００３７】
サブフレームはＬＴＥおよびＬＴＥ−Ａにおける時間領域でのリソースの割り当て単位となっている。図８に示されるように、それぞれのＳＣ−ＦＤＭＡシンボルは異なる用途に利用することができ、ＳＣ−ＦＤＭＡシンボル３番はデータ復調用の参照信号（DMRS: Demodulation RS）の送信のために利用される。スロット１番におけるＳＣ−ＦＤＭＡシンボル６番はＳＲＳの送信のために利用される。それ以外のＳＣ−ＦＤＭＡシンボルはデータ送信用に利用される。ここで、ＤＭＲＳおよびＳＲＳは、他のユーザとの多重や、アンテナ識別のために直交符号が利用されており、ＬＴＥではＣＡＺＡＣ（Constant Amplitude and Zero-Autocorrelation）系列を時間軸上でサイクリックシフトさせた系列が利用されている。
【００３８】
図９は、ＬＴＥのＳＲＳの送信の仕組みを示すシーケンスチャートである。基地局装置１は、移動局装置３ごとにＳＲＳの送信に関する設定を行なう（ステップＳ７０１）。ここで、設定とは、ＳＲＳサブフレームのうち、移動局装置３が利用できるサブフレームの位置をオフセットと周期により設定することとともに、ＳＲＳがサポートする帯域、１サブフレームにて送信されるＳＲＳ帯域幅のことを表す。さらにＭＩＭＯの場合においては、どの時間タイミングでどのアンテナから送信されるかなどの情報を表すこともある。これを具体的に図９を用いて説明する。
【００３９】
まず、周波数に関する設定について説明すると、この設定では周波数帯域Ａのみがサポートされており、周波数帯域Ａがさらに２分割（Ａ−１とＡ−２）され、一回のＳＲＳ送信においてＡ−１もしくはＡ−２の帯域についてＳＲＳが送信される。次に、時間に関する設定を説明すると、この設定では１０ｎ（ｎは整数）のサブフレームにおいてＡ−１の帯域のＳＲＳ送信を行なう（ステップＳ７０２およびステップＳ７０４）。つまり、サブフレーム１０、２０がこれに対応する。さらにこの設定では１０ｎ＋５（ｎは整数）のサブフレームにおいてＡ−２の帯域のＳＲＳ送信を行なう（ステップＳ７０３およびステップＳ７０５）。つまり、サブフレーム１５、２５がこれに対応する。
【００４０】
基地局装置１は、これらのサブフレームにおいてＳＲＳを受信すると、それを用いて変調方式や符号化率を計算する。そして下りリンク制御チャネルを用いて、上りリンク信号送信許可信号（UL Grant）を移動局装置３へ送信する（ステップＳ７０６）。ＵＬ  Ｇｒａｎｔには、割り当てた上りリンクの周波数帯域（つまりRB）や、変調方式、符号化率などの情報が含まれている。これを受信した移動局装置３は、基地局装置１の指示に従って上りリンクデータ（UL-SCH）を送信する（ステップＳ７０７）。以下、本発明の実施形態について図面を参照して説明する。
【００４１】
（第１の実施形態）
本発明の第１の実施形態に係る移動通信システムは、基地局装置１と移動局装置３とを有している。
【００４２】
図１は、本発明の実施形態に係る基地局装置１の一構成例を示す機能ブロック図である。図１に示すように、本実施形態による基地局装置１は、送信部１１０、スケジューリング部１２０、受信部１３０、およびアンテナ１４０を備えている。送信部１１０は、符号化部１１１、変調部１１２、マッピング部１１３、無線送信部１１４を備えている。また、スケジューリング部１２０は、下りリンク送信リソース情報制御部１２１、上りリンク送信リソース情報制御部１２２、ＳＲＳ送信スケジュール制御部１２３を備えており、受信部１３０は無線受信部１３１、ＳＲＳ分離・算出部１３２、逆マッピング・復調処理部１３３を備えている。アンテナ１４０は、下りリンク信号の送信および上りリンク信号の受信に必要な数だけ備えられている。
【００４３】
基地局装置１において生成された、各移動局装置３に送信する下りリンクデータと、スケジューリング部１２０から出力される制御情報送信のためのスケジューリング情報は、符号化部１１１に入力され、それぞれがスケジューリング部１２０からの制御信号に従った符号化が施され符号化ビット列が出力される。スケジューリング部１２０からの制御信号とは符号化率を表す情報や、たとえばターボ符号、テイルバイティング畳み込み符号などの符号化方式を表すものである。また、複数の情報を組み合わせて符号化されてもよく、それぞれの情報が個別に符号化されてもよい。ここで、スケジューリング部１２０から提供される情報とは、ＳＲＳの送信に関する制御情報を含むことが特徴であり、たとえばＳＲＳの割り当て情報、利用する符号（CAZAC系列のサイクリックシフト）の情報などである。
【００４４】
符号化部１１１の複数の出力ビット列は変調部１１２に入力され、それぞれがスケジューリング部１２０からの制御信号に従った変調、たとえばＢＰＳＫ、ＱＰＳＫ、１６ＱＡＭ、６４ＱＡＭのシンボルに変換され出力される。変調部１１２の出力はスケジューリング部１２０から提供される下りスケジューリングの制御情報とともにマッピング部１１３へ入力され、送信データが生成される。ここで送信データとは、例えばＯＦＤＭ信号のことを指しており、マッピング動作とは移動局装置３ごとに指定された周波数、時間リソースに対応させる動作に相当する。また、ＭＩＭＯによる空間多重が採用されていれば、この処理がこのブロックにおいて行なわれる。ここで制御情報とは、上りリンクもしくは下りリンクのリソース割り当て情報、つまり送信タイミングと周波数リソースの情報、上りリンクもしくは下りリンク信号の変調方式および符号化率、および、移動局装置３に対するＣＱＩ、ＰＭＩ、ＲＩの送信要求などのことである。
【００４５】
マッピング部１１３により生成された信号は無線送信部１１４へと出力される。無線送信部１１４では、送信方式にあった形態に変換され、具体的にＯＦＤＭＡに準じた通信方式であれば、周波数領域の信号に対してＩＦＦＴ（Inverse Fast Fourier Transformation）が施されることにより、時間領域の信号が生成される。無線送信部１１４の出力信号はアンテナ１４０に供給され、ここから各移動局装置３へ送信される。
【００４６】
スケジューリング部１２０は、上位レイヤからの制御情報および基地局装置１から送信された制御情報を管理および制御し、各移動局装置３へのリソース割り振りや変調方式、符号化率の決定およびこれらの動作の制御やその制御情報の出力などを行なっている。下りリンク送信リソース情報制御部１２１は、各移動局装置３が利用する下りリンクリソースをスケジューリング・管理するとともに、その制御信号の生成を行なう。上りリンク送信リソース情報制御部１２２は、各移動局装置３が利用する上りリンクリソースを管理するとともに、その制御信号の生成を行なう。ＳＲＳ送信スケジュール制御部１２３は、それぞれの移動局装置３に対して適用する周期的に送信するＳＲＳの送信リソース（時間リソース、周波数リソース、符号リソース）を管理するとともに、ＳＲＳサブフレームに関する設定と管理も行なう。ここで、ＳＲＳ送信スケジュール制御部１２３は異なる２種類以上の送信リソースを一つの移動局装置３に割り当てられることが本発明の特徴であり、それぞれの送信リソースがこのブロックにて制御、管理される。
【００４７】
一方、移動局装置３から送信された信号は、アンテナ１４０で受信された後、無線受信部１３１に入力される。無線受信部１３１はデータや制御信号を受け取り、送信方式に応じたディジタル信号を生成して出力する。具体的にＯＦＤＭ方式やＳＣ−ＦＤＭＡ方式が採用されているのであれば、受信信号をアナログ・ディジタル変換した後、処理時間単位でＦＦＴ処理を施した信号が出力される。ここで、無線受信部１３１には、上りリンクの伝搬路の状況を計測するための信号と、上位レイヤで処理される例えばデータ信号や制御情報として管理されるべき情報を含む信号の２種類に分けられ、それぞれ第１の信号および第２の信号として出力される。
【００４８】
無線受信部１３１の第１の出力はＳＲＳ分離・算出部１３２へ出力される。ここでは、上りリンク信号に含められたＳＲＳ信号が抽出され、そこから得られる各移動局装置３のチャネル情報をスケジューリング部１２０へ出力する。特に、ＳＲＳは時間、周波数、符号リソースによってユーザごと、もしくは他の情報と多重されている可能性があり、ＳＲＳ送信スケジュール制御部１２３で管理するリソース割り当て情報に従って、これらの分離が行なわれる。
【００４９】
無線受信部１３１の第２の出力は逆マッピング・復調処理部１３３へと出力される。逆マッピング・復調処理部１３３にはスケジューリング部１２０が管理するマッピングパターン、変調方式および符号化率を利用して、移動局装置３から送信された複数種類の情報をそれぞれ復調、抽出する。ここで、上りリンク信号に空間多重が適用されており、２種類以上の通信品質の異なる情報が同時に送信されていれば、それぞれの信号が含まれている時間、周波数位置をあらかじめ分離し、スケジューリング部１２０から入力される制御情報に従って、それぞれ異なる変調方式、符号化率、空間多重数を適用した逆マッピング、復調処理が行なわれる。このような処理により得られた信号のうち、上位レイヤで処理されるものについては上位レイヤへと出力され、スケジューリング部１２０で管理される制御情報、たとえばＣＱＩやＲＩなどについては、スケジューリング部１２０に出力される。
【００５０】
図２は、本発明の実施形態に係る移動局装置３の一構成例を示す機能ブロック図である。各移動局装置３は、図２に示すように、受信部２１０、スケジューリング情報管理部２２０、送信部２３０、および、アンテナ２４０を備えている。受信部２１０は無線受信部２１１、復調処理部２１２、下りリンク伝搬路算出部２１３を備えている。また、スケジューリング情報管理部２２０は下りリンク送信リソース情報管理部２２１、上りリンク送信リソース情報管理部２２２、ＳＲＳ送信スケジュール管理部２２３を備えている。アンテナ２４０は上りリンク信号の送信および下りリンク信号の受信に必要な数だけ備えられている。送信部２３０は符号化部２３１、変調部２３２、マッピング部２３３、無線送信部２３４を備えている。
【００５１】
基地局装置１から送信される下りリンク信号をアンテナ２４０で受信すると、この受信信号は無線受信部２１１へ入力される。無線受信部２１１では、アナログ・ディジタル（A/D）変換などの他に、通信方式に応じた処理が施され、出力される。具体的にＯＦＤＭＡであれば、Ａ／Ｄ変換後の時系列の信号はＦＦＴ処理され、時間・周波数領域の信号に変換されて出力される。
【００５２】
無線受信部２１１の出力信号は復調処理部２１２へ入力される。これとともに復調処理部２１２にはスケジューリング情報管理部２２０から出力される下りリンク信号のスケジューリング情報（つまり自局宛の信号がどこに割り当てられているかという情報）、空間多重の系列数、変調方式、符号化率といった制御情報も入力され、復調処理が行なわれる。復調された信号は信号の種類によって分類され、上位レイヤにて処理される情報は上位レイヤへと渡され、スケジューリング情報管理部２２０にて管理される情報についてはスケジューリング情報管理部２２０に入力される。スケジューリング情報管理部２２０はどの時刻において、どのように符号や送信アンテナを割り当てるかを対応させるかを管理する。さらに、スケジューリング情報管理部２２０にて管理される情報とは、ＳＲＳを送信するリソース（時間、周波数、符号リソース）に関するものであり、これは２つ以上のスケジューリング情報を管理できることが本発明の特徴である。
【００５３】
下りリンク伝搬路算出部２１３は無線受信部２１１から提供される伝搬路算出用の信号を入力信号として、下りリンクに適用できる空間多重の系列数、変調方式、符号化率といった管理情報を計算する。この管理情報はスケジューリング情報管理部２２０へと入力される。
【００５４】
スケジューリング情報管理部２２０は基地局装置１から送信された制御情報を管理し、また、移動局装置３で算出された制御情報を基地局装置１へ送信するための管理も行なう。下りリンク送信リソース情報管理部２２１は、基地局装置１から送信された自局の下りリンクリソース情報を管理するとともに、下りリンク信号の送信制御を行なう。上りリンク送信リソース情報管理部２２２は、基地局装置１から送信された自局の上りリンクリソース情報を管理するとともに、上りリンク信号の送信制御を行なう。さらに、ＳＲＳ送信スケジュール管理部２２３は、基地局装置１から送信されたピリオディックＳＲＳの送信リソース（時間リソース、周波数リソース、符号リソース）を管理するとともに、それらのリソースを用いたＳＲＳ送信の制御を行なう。
【００５５】
送信部２３０は、上りリンクデータやアピリオディックＳＲＳなどの情報を割り当てられた上りリンクリソースにおいて送信する。下りリンクデータおよびスケジューリング情報管理部２２０で管理される信号は、その送信タイミングにおいて符号化部２３１へ供給され、入力された信号はそれぞれの種類によって異なる符号化率の符号化が行なわれる。この複数系列の出力信号は変調部２３２へと入力され、それぞれの種類によって異なる変調方式により変調される。この出力はマッピング部２３３へと出力され、送信情報ごとの空間多重数、およびマッピング位置情報に応じて信号のマッピングを行なう。具体的に、送信方式にＳＣ−ＦＤＭＡが適用される場合には割り当てられた周波数領域に信号をマッピングする。
【００５６】
マッピング部２３３によりマッピングされた信号は、無線送信部２３４へ入力される。無線送信部２３４ではこれらの信号が送信する信号形態に変換される。具体的には、周波数領域の信号をＩＦＦＴにより時間領域の信号へ変換し、ガードインターバルを付与する動作などがこれに相当する。無線送信部２３４の出力はアンテナ２４０に供給される。
【００５７】
図３は、本発明の第１の実施形態に係る基地局装置１から移動局装置３へ２種類のＳＲＳの設定が行なわれることを想定したシーケンスチャートである。移動局装置３は基地局装置１に対して、自局の送信アンテナ数を通知しているものとする。また、すべての移動局装置３に共通のＳＲＳに関する設定の情報は、このシーケンスの前にすでに設定されているものとする。基地局装置１は、送信アンテナ数に従ってＳＲＳリソースを移動局装置３に割り当てる。ここでリソースとは、時間、周波数、符号リソースのことを表し、どの時間、周波数、符号リソースがどのアンテナに対応するのかという情報もここに含まれていることとする。
【００５８】
図４Ａは、ＴＤＭにより４送信アンテナ分のＳＲＳを送信する例である。図４Ａでは、それぞれの送信アンテナごとに異なる時間リソースが割り当てられている。図４Ｂは、ＣＤＭにより４送信アンテナ分のＳＲＳを送信する例である。それぞれの送信アンテナごとに異なるサイクリックシフトが割り当てられている。図４Ｃは、ＩＦＤＭ（Interleaved Frequency Division Multiplexing）とＴＤＭにより４送信アンテナ分のＳＲＳを送信する例である。図４Ｄは、ＩＦＤＭとＣＤＭにより４送信アンテナ分のＳＲＳを送信する例である。この実施形態では対象となる送信アンテナは一つとして例を記載している。つまり、各時刻においてどの送信アンテナからＳＲＳが送信されるかについて記載されていないが、たとえば４送信アンテナの場合に、図４に記載されたどの方法を用いたとしてもその一般性は失われない。
【００５９】
図３のシーケンスにおいて、基地局装置１は移動局装置３に対してＳＲＳ送信の設定を行なう（ステップＳ３０１）。これを第１の設定と呼び、システム帯域幅のうちの一部（帯域Ａ）がサポートされ、サブフレーム１０ｎ(n=1,2, …)でＳＲＳが送信することが設定される。さらに、基地局装置１は移動局装置３に対して第１の設定とは異なるＳＲＳ送信の設定を行なう（ステップＳ３０２）。これを第２の設定と呼び、システム帯域幅のうちの一部（帯域Ｃ）がサポートされ、サブフレーム１０ｎ＋５(n=1,2, …)でＳＲＳが送信することが設定される。
【００６０】
ここでは、第１の設定と第２の設定の時間周期をともに同じ値（１０サブフレーム）としているが、これらは異なる値としてもよい。これらの設定によって同じサブフレームでのＳＲＳ送信が発生し、かつ、一つのＳＲＳ信号がシングルキャリアで構成される信号である場合においては、ＰＡＰＲ（Peak to Average Power Ratio）の増加を避けるために、優先度の低い設定のＳＲＳを送信しなくてもよい。優先度は基地局装置１から移動局装置３に対して通知してもよく、帯域幅や送信周期などその他の設定情報から一意に決めてもよい。さらに、ステップＳ３０１とステップＳ３０２は時間的に別れて記載されているが、同時刻において同時に設定されてもよく、また、片方のリソースが決定されれば、他方も自動的に決定されるようなルールを設けてもよい。
【００６１】
上記の設定により、サブフレーム１０、１５においては、第１の設定に従って帯域Ａに対するＳＲＳが移動局装置３から基地局装置１へ送信される（それぞれステップＳ３０３、Ｓ３０５）。またサブフレーム１５、２５においては、第２の設定に従って帯域Ｃに対するＳＲＳが移動局装置３から基地局装置１へ送信される（それぞれステップＳ３０４、Ｓ３０６）。
【００６２】
ＳＲＳを受信した基地局装置１は、これを用いて随時、ＭＣＳ、プレコーダを算出することができ、また、スケジューリングを行なうことができる。基地局装置１が移動局装置３に対してＵＬ−ＳＣＨを送信する上りリンクリソースを割り当てる場合には、その割り当て信号（UL Grant）を送信する（ステップＳ３０７）。ＵＬ  Ｇｒａｎｔには、ＭＣＳつまりＵＬ−ＳＣＨに適用する変調方式、符号化率に関する情報やプレコーダを指定する情報、割り当てられた周波数の場所に関する情報、つまりＲＢを指定する情報などが含まれている。ここで、ステップＳ３０７により割り当てられたＲＢは帯域Ａおよび帯域Ｃにまたがる不連続な領域であり、クラスタードＳＣ−ＦＤＭＡによる送信を指示する情報である。これを受信した移動局装置３はＵＬ−Ｇｒａｎｔに従ってＵＬ−ＳＣＨを送信する（ステップＳ３０８）。
【００６３】
上記の手段により、クラスタードＳＣ−ＦＤＭＡ方式を同時かつ効率的にサポートするＳＲＳを送信することができる。ＳＲＳは非連続の周波数帯域をサポートすることができるため、クラスタードＳＣ−ＦＤＭＡによって期待される周波数ダイバーシチの効果を得ることができ、さらにそれぞれの帯域のチャネル情報を周期的に得ることができるため、スループット向上に効果的な周波数スケジューリングをより柔軟に行なうことができる。
【００６４】
（第２の実施形態）
図５は、本発明の第２の実施形態に係る基地局装置１から移動局装置３へ２種類のＳＲＳの設定が行なわれることを想定したシーケンスチャートである。第１の実施形態と異なる点は、システム帯域を分割して作成された帯域Ａから帯域Ｄについて、それぞれをさらに分割し（Ａ−１、Ａ−２、Ｂ−１、Ｂ−２、Ｃ−１、Ｃ−２、Ｄ−１、Ｄ−２）、一回のＳＲＳ送信では最も細かい分割単位（例えばＡ−１）のみしかサポートしない場合を例にとったものである。
【００６５】
移動局装置３は基地局装置１に対して、自局の送信アンテナ数を通知しているものとする。また、すべての移動局装置３に共通のＳＲＳに関する設定の情報は、このシーケンスの前にすでに設定されているものとする。基地局装置１は、送信アンテナ数に従ってＳＲＳリソースを移動局装置３に割り当てる。ここでリソースとは、時間、周波数、符号リソースのことを表し、どの時間、周波数、符号リソースがどのアンテナに対応するのかという情報もここに含まれているとする。この実施形態では、この実施形態では対象となる送信アンテナは一つとして例を記載している。つまり、各時刻においてどの送信アンテナからＳＲＳが送信されるかについて記載されていないが、第１の実施形態において説明したとおり、複数の送信アンテナに拡張したとしてもその一般性は失われない。
【００６６】
図５のシーケンスにおいて、基地局装置１は移動局装置３に対してＳＲＳ送信の設定を行なう（ステップＳ５０１）。これを第１の設定と呼び、システム帯域幅のうちの一部（帯域Ａ、５１１）がサポートされる。さらに、第１の設定において、帯域Ａはさらに帯域Ａ−１、Ａ−２に分割され、一度のＳＲＳ送信ではそのうちの１つがサポートされる。帯域Ａ−１に関しては、サブフレーム２０ｎ−１０（n=1,2, …）でＳＲＳが送信することが設定され、帯域Ａ−２に関しては、サブフレーム２０ｎ（n=1,2, …）でＳＲＳが送信することが設定される。さらに、基地局装置１は移動局装置３に対して第１の設定とは異なるＳＲＳ送信が設定される（ステップＳ５０２）。これを第２の設定と呼び、システム帯域幅のうちの一部（帯域Ｃ）がサポートされる。さらに、第２の設定において、帯域Ｃはさらに帯域Ｃ−１、Ｃ−２に分割され、一度のＳＲＳ送信ではそのうちの１つがサポートされる。
【００６７】
帯域Ｃ−１に関してはサブフレーム２０ｎ−５（n=1,2, …）でＳＲＳが送信することが設定され、帯域Ｃ−２に関してはサブフレーム２０ｎ＋５（n=1,2, …）でＳＲＳが送信することが設定される。ここでは、第１の設定と第２の設定の時間周期をともに同じ値（１０サブフレーム）としているが、これらは異なる値としてもよい。もしこれらの設定によって同じサブフレームでのＳＲＳ送信が発生する場合があり、かつ、一つのＳＲＳ信号がシングルキャリアで構成される信号である場合においては、ＰＡＰＲの増加を避けるために、優先度の低い設定のＳＲＳを送信しなくてもよい。優先度は基地局装置１から移動局装置３に対して通知してもよく、帯域幅や送信周期などその他の設定情報から一意に決めてもよい。さらに、ステップＳ５０１とステップＳ５０２は時間的に別れて記載されているが、同時刻において同時に設定されてもよく、また、片方のリソースが決定されれば、他方も自動的に決定されるようなルールを設けてもよい。
【００６８】
上記の設定により、第１の設定に従って帯域Ａ−１に対するＳＲＳがサブフレーム１０、３０において移動局装置３から基地局装置１へ送信され（それぞれステップＳ５０３、Ｓ５０７）、帯域Ａ−２に対するＳＲＳがサブフレーム２０、４０において移動局装置３から基地局装置１へ送信される（それぞれステップＳ５０５、Ｓ５０９）。また、第２の設定に従って帯域Ｃ−１に対するＳＲＳがサブフレーム１５、３５において移動局装置３から基地局装置１へ送信され（それぞれステップＳ５０４、Ｓ５０８）、帯域Ｃ−２に対するＳＲＳがサブフレーム２５、４５において移動局装置３から基地局装置１へ送信される（それぞれステップＳ５０６、Ｓ５１０）。
【００６９】
ＳＲＳを受信した基地局装置１は、これを用いて随時、ＭＣＳ、プレコーダを算出することができ、また、スケジューリングを行なうことができる。基地局装置１が移動局装置３に対してＵＬ−ＳＣＨを送信する上りリンクリソースを割り当てる場合には、その割り当て信号（UL Grant）を送信する（ステップＳ５１１）。ＵＬ  Ｇｒａｎｔには、ＭＣＳつまりＵＬ−ＳＣＨに適用する変調方式、符号化率に関する情報やプレコーダを指定する情報、割り当てられた周波数の場所に関する情報、つまりＲＢを指定する情報などが含まれている。ここで、ステップＳ５１１により割り当てられたＲＢは帯域Ａおよび帯域Ｃにまたがる不連続な領域であり、クラスタードＳＣ−ＦＤＭＡによる送信を指示する情報である。これを受信した移動局装置３はＵＬ−Ｇｒａｎｔに従ってＵＬ−ＳＣＨを送信する（ステップＳ５１２）。
【００７０】
上記の手段により、クラスタードＳＣ−ＦＤＭＡ方式を同時かつ効率的にサポートするＳＲＳを送信することができる。ＳＲＳは非連続の周波数帯域をサポートすることができるため、クラスタードＳＣ−ＦＤＭＡによって期待される周波数ダイバーシチの効果を得ることができ、さらにそれぞれの帯域のチャネル情報を周期的に得ることができるため、スループット向上に対して効果的な周波数スケジューリングを柔軟に行なうことができる。ＳＲＳでサポートされる帯域が細分化され、複数の時間でこれらを包括するようにＳＲＳが送信される場合においても上記の効果を得ることができる。
【００７１】
（第３の実施形態）
図６は、本発明の第３の実施形態に係る基地局装置１から移動局装置３へ２種類のＳＲＳの設定が行なわれることを想定したシーケンスチャートである。第１の実施形態と異なる点は、システム帯域を分割して作成された帯域Ａから帯域Ｄについて、一つのＳＲＳ設定では細分化された帯域Ｃをサポートするように設定が行なわれ、もう一つのＳＲＳ設定では帯域Ｃを含むシステム帯域全体をサポートするように設定が行なわれることである。
【００７２】
移動局装置３は基地局装置１に対して、自局の送信アンテナ数を通知しているものとする。また、すべての移動局装置３に共通のＳＲＳに関する設定の情報は、このシーケンスの前にすでに設定されているものとする。基地局装置１は、送信アンテナ数に従ってＳＲＳリソースを移動局装置３に割り当てる。ここでリソースとは、時間、周波数、符号リソースのことを表し、どの時間、周波数、符号リソースがどのアンテナに対応するのかという情報もここに含まれているとする。この実施形態では対象となる送信アンテナは一つとして例を記載している。つまり、各時刻においてどの送信アンテナからＳＲＳが送信されるかについて記載されていないが、第１の実施形態において説明したとおり、複数の送信アンテナに拡張したとしてもその一般性は失われない。
【００７３】
図６のシーケンスにおいて、基地局装置１は移動局装置３に対してＳＲＳ送信の設定を行なう（ステップＳ６０１）。これを第１の設定と呼び、システム帯域幅のうちの一部（帯域Ｃ）がサポートされる。さらに、第１の設定において、帯域Ｃはさらに帯域Ｃ−１、Ｃ−２に分割され、一度のＳＲＳ送信ではそのうちの１つがサポートされる。帯域Ｃ−１に関しては、サブフレーム１０ｎ（n=1,2, …）でＳＲＳが送信することが設定され、帯域Ｃ−２に関しては、サブフレーム１０ｎ＋５（n=1,2, …）でＳＲＳが送信することが設定される。さらに、基地局装置１は移動局装置３に対して第１の設定とは異なるＳＲＳ送信が設定される（ステップＳ６０２）。これを第２の設定と呼び、システム帯域幅全体がサポートされ、サブフレーム２０ｎ−１８（n=1,2, …）でＳＲＳが送信することが設定される。
【００７４】
ここで、第２の設定によるシステム帯域のＳＲＳを、第１の設定による帯域ＣのＳＲＳより低頻度で送信しているのは、第１の設定のＳＲＳが補助的な役割でありオーバーヘッドの増加を避けることを考慮したからであるが、それぞれの送信周期は自由に設定することができる。システム帯域のもしこれらの設定によって同じサブフレームでのＳＲＳ送信が発生する場合があり、かつ、一つのＳＲＳ信号がシングルキャリアで構成される信号である場合においては、ＰＡＰＲの増加を避けるために、優先度の低い設定のＳＲＳを送信しなくてもよい。優先度は基地局装置１から移動局装置３に対して通知してもよく、帯域幅や送信周期などその他の設定情報から一意に決めてもよい。さらに、ステップＳ６０１とステップＳ６０２は時間的に別れて記載されているが、同時刻において同時に設定されてもよく、また、片方のリソースが決定されれば、他方も自動的に決定されるようなルールを設けてもよい。
【００７５】
上記の設定により、第１の設定に従って帯域Ｃ−１に対するＳＲＳがサブフレーム１０、２０において移動局装置３から基地局装置１へ送信され（それぞれステップＳ６０４、Ｓ６０６）、帯域Ｃ−２に対するＳＲＳがサブフレーム１５、２５において移動局装置３から基地局装置１へ送信される（それぞれステップＳ６０５、Ｓ６０８）。また、第２の設定に従ってシステム帯域に対するＳＲＳがサブフレーム２、２２において移動局装置３から基地局装置１へ送信される（それぞれステップＳ６０３、Ｓ６０７）。
【００７６】
ＳＲＳを受信した基地局装置１は、これを用いて随時、ＭＣＳ、プレコーダを算出することができ、また、スケジューリングを行なうことができる。基地局装置１が移動局装置３に対してＵＬ−ＳＣＨを送信する上りリンクリソースを割り当てる場合には、その割り当て信号（UL Grant）を送信する（ステップＳ６０９）。ＵＬ  Ｇｒａｎｔには、ＭＣＳつまりＵＬ−ＳＣＨに適用する変調方式、符号化率に関する情報やプレコーダを指定する情報、割り当てられた周波数の場所に関する情報、つまりＲＢを指定する情報などが含まれている。
【００７７】
ここで、ステップＳ６０９により割り当てられたＲＢは帯域Ｃに完全に含まれてもよく、システム帯域のどのＲＢが割り当てられてもよい。具体的な用途として、第１の設定による帯域Ｃは、ＳＲＳの送信帯域を狭くして送信電力を集中させることによりＳＮＲが向上されているため、これを通常のスケジューリングに利用し、周波数リソースに空きが生じている際に補助的な役割をする目的でそれ以外の帯域（第２の設定でサポートされる帯域）を割り当てることが有効である。ＵＬ−Ｇｒａｎｔを受信した移動局装置３は、このＵＬ−Ｇｒａｎｔに含まれる情報に従ってＵＬ−ＳＣＨを送信する（ステップＳ６１０）。
【００７８】
上記の手段により、クラスタードＳＣ−ＦＤＭＡ方式を同時かつ効率的にサポートするＳＲＳを送信することができる。ＳＲＳは非連続の周波数帯域をサポートすることができるため、クラスタードＳＣ−ＦＤＭＡによって期待される周波数ダイバーシチの効果を得ることができ、さらにそれぞれの帯域のチャネル情報を周期的に得ることができるため、スループット向上に対して効果的な周波数スケジューリングを柔軟に行なうことができる。本実施形態のように、狭い帯域のＳＲＳを高頻度で送信し、広い帯域のＳＲＳをそれより低い頻度で送信することにより、より効果的にスケジューリングゲインを獲得し、スループットを向上させることができる。
【００７９】
また、以上に説明したそれぞれの実施形態において、基地局装置１内の各機能や、移動局装置３内の各機能を実現するためのプログラムをコンピュータ読み取り可能な記録媒体に記録して、この記録媒体に記録されたプログラムをコンピュータシステムに読み込ませ、実行することにより基地局装置１や移動局装置３の制御を行なっても良い。尚、ここでいう「コンピュータシステム」とは、ＯＳや周辺機器等のハードウェアを含むものとする。
【００８０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００８１】
以上、この発明の実施形態について図面を参照して詳述してきたが、具体的な構成はこれらの実施形態に限られるものではなく、この発明の要旨を逸脱しない範囲の設計等も特許請求の範囲に含まれる。
【符号の説明】
【００８２】
１  基地局装置
３  移動局装置
１１０  送信部
１２０  スケジューリング部
１２３  ＳＲＳ送信スケジュール制御部
１３０  受信部
２１０  受信部
２２０  スケジューリング情報管理部
２２３  ＳＲＳ送信スケジュール管理部
２３０  送信部
【図１】
0005415197.tif 000002
【図２】
0005415197.tif 000003
【図３】
0005415197.tif 000004
【図４Ａ】
0005415197.tif 000005
【図４Ｂ】
0005415197.tif 000006
【図４Ｃ】
0005415197.tif 000007
【図４Ｄ】
0005415197.tif 000008
【図５】
0005415197.tif 000009
【図６】
0005415197.tif 000010
【図７】
0005415197.tif 000011
【図８】
0005415197.tif 000012
【図９】
0005415197.tif 000013